(57)【要約】【課題】無線タグとこれに対応する印字情報を備えたラベルとを別々に生成して印字付き無線タグラベルとする場合でも、操作者が貼り合わせるものどうしの正しい組み合わせを容易に認識できるタグラベル作成システム、無線タグ情報通信装置、印字装置、タグテープを提供する。【解決手段】無線タグ情報通信装置３は、複数の無線タグ回路素子Ｔoを所定の順序で配列し、当該配列に対応した印字ＲＡが形成されたタグテープ１０１Ａの無線タグ回路素子Ｔoに対し無線通信を行うためのアンテナ１４と、このアンテナ１４を介し無線タグ回路素子Ｔoに対し情報送受信を行うとともに、印字ＲＡに対応した配列情報を取得し、対応する情報を出力する制御回路１３０とを備え、印字装置２は、カバーフィルム１０３に対し、情報送受信内容に対応した印字Ｒ１と、配列情報に対応した印字Ｒ２とを印刷する印字ヘッド１０を備える。【選択図】図２
2008090468.tif 000002
【特許請求の範囲】
【請求項１】
情報を記憶するＩＣ回路部と情報の送受信を行うアンテナとを備えた無線タグ回路素子を有する複数の無線タグ媒体と通信を行う無線タグ情報通信装置と、被印字媒体に対し印刷を行う印字装置とを有するタグラベル作成システムであって、
前記無線タグ情報通信装置は、
複数の前記無線タグ媒体を特定するための媒体識別子が形成された前記無線タグ媒体の前記無線タグ回路素子に対し無線通信を行うための通信手段と、
この通信手段を介し前記無線タグ回路素子の前記ＩＣ回路部に対し情報送受信を行う情報アクセス手段と、
前記媒体識別子に対応した媒体識別子情報を出力する媒体識別子情報出力手段とを備え、
前記印字装置は、
前記被印字媒体に対し、前記情報アクセス手段による前記情報送受信内容に対応した第１印字と、前記媒体識別子情報出力手段から出力された前記媒体識別子情報に対応した第２印字とを印刷する印字手段を備える
ことを特徴とするタグラベル作成システム。
【請求項２】
請求項１記載のタグラベル作成システムにおいて、
前記無線タグ情報通信装置と前記印字装置とは情報送受信可能に接続されている
ことを特徴とするタグラベル作成システム。
【請求項３】
請求項２記載のタグラベル作成システムにおいて、
前記媒体識別子情報出力手段は、
前記無線タグ回路素子の前記ＩＣ回路部に記憶された前記媒体識別子情報を、前記通信手段を介し取得する媒体識別子情報取得手段を備えることを特徴とするタグラベル作成システム。
【請求項４】
請求項２記載のタグラベル作成システムにおいて、
前記媒体識別子情報出力手段は、
前記無線タグ媒体に印刷された前記媒体識別子情報に対応する検出子を光学的に読み取りを行う光学読み取り手段を備えることを特徴とするタグラベル作成システム。
【請求項５】
請求項２乃至４のいずれか１項記載のタグラベル作成システムにおいて、
前記無線タグ情報通信装置及び前記印字装置に対する操作を行うための操作端末を有し、
この操作端末は、
前記無線タグ情報通信装置に媒体識別子情報要求信号を生成して出力する要求出力手段と、
この要求出力手段からの前記媒体識別子情報要求信号に応じて前記媒体識別子情報出力手段から出力された前記媒体識別子情報を、前記印字装置へ送出する媒体識別子情報送出手段とを有する
ことを特徴とするタグラベル作成システム。
【請求項６】
請求項５記載のタグラベル作成システムにおいて、
前記操作端末は、
前記情報アクセス手段により前記情報送受信として前記ＩＣ回路部への情報書込みを行うときの当該書き込み情報及びこれに対応した前記第１印字の印字データを生成し、前記書き込み情報を前記無線タグ情報通信装置へ出力し、前記印字データを前記印字装置へ出力する第１出力手段
を備えることを特徴とするタグラベル作成システム。
【請求項７】
請求項６記載のタグラベル作成システムにおいて、
前記操作端末は、
前記第１出力手段から出力する前記書き込み情報及び前記印字データの内容を設定入力するための第１設定入力手段を備えることを特徴とするタグラベル作成システム。
【請求項８】
請求項２記載のタグラベル作成システムにおいて、
前記印字装置は、
前記情報アクセス手段により前記情報送受信として前記ＩＣ回路部への情報書込みを行うときの当該書き込み情報を生成し、前記無線タグ情報通信装置へ出力する第２出力手段
を備えることを特徴とするタグラベル作成システム。
【請求項９】
請求項８記載のタグラベル作成システムにおいて、
前記印字装置は、
前記印字情報、及び、前記第２出力手段から出力する前記書き込み情報の内容を設定入力するための第２設定入力手段を備えることを特徴とするタグラベル作成システム。
【請求項１０】
請求項２乃至９のいずれか１項記載のタグラベル作成システムにおいて、
前記無線タグ回路素子の素子識別情報を対応する前記印字情報と関連づけて格納可能なデータベースを備えた記憶装置を有する
ことを特徴とするタグラベル作成システム。
【請求項１１】
請求項１０記載のタグラベル作成システムにおいて、
前記記憶装置は、
読み取り専用の前記無線タグ回路素子から前記情報アクセス手段により取得された当該無線タグ回路素子の前記素子識別情報を対応する前記印字情報と関連付けて前記データベースに格納する
ことを特徴とするタグラベル作成システム。
【請求項１２】
請求項２乃至１１のいずれか１項記載のタグラベル作成システムにおいて、
前記無線タグ媒体は、
当該無線タグ媒体の厚み方向一方側に設けられ貼り付け対象に貼り付けるための貼り付け用粘着剤層と、この貼り付け用粘着剤層の前記一方側を覆うとともに貼り付け時には剥離される剥離材層とを備え、
前記媒体識別子は、前記剥離材層の前記一方側表面に形成されている
ことを特徴とするタグラベル作成システム。
【請求項１３】
請求項２乃至１１のいずれか１項記載のタグラベル作成システムにおいて、
前記無線タグ媒体は、
当該無線タグ媒体の厚み方向一方側に設けられ貼り付け対象に貼り付けるための貼り付け用粘着剤層と、この貼り付け用粘着剤層の前記一方側を覆うとともに貼り付け時には剥離される剥離材層とを備え、
前記媒体識別子は、前記無線タグ媒体の前記他方側表面に形成されている
ことを特徴とするタグラベル作成システム。
【請求項１４】
請求項２乃至１３のいずれか１項記載のタグラベル作成システムにおいて、
前記無線タグ情報通信装置と前記印字装置とは、局所ネットワーク又はＵＳＢケーブルを介し接続されていることを特徴とするタグラベル作成システム。
【請求項１５】
情報を記憶するＩＣ回路部と情報の送受信を行うアンテナとを備えた無線タグ回路素子を有する複数の無線タグ媒体を特定するための媒体識別子が形成された前記無線タグ媒体の前記無線タグ回路素子に対し無線通信を行うための通信手段と、
この通信手段を介し前記無線タグ回路素子の前記ＩＣ回路部に対し情報送受信を行う情報アクセス手段と、
前記媒体識別子に対応した媒体識別子情報を出力する媒体識別子情報出力手段と
を有することを特徴とする無線タグ情報通信装置。
【請求項１６】
被印字媒体に対し印刷を行う印字装置であって、
情報を記憶するＩＣ回路部と情報の送受信を行うアンテナとを備えた無線タグ回路素子を有する複数の無線タグ媒体に対し情報送受信を行う無線タグ情報通信装置により出力された、前記複数の無線タグ媒体を特定するための媒体識別子に対応した媒体識別子情報を入力する媒体識別子情報入力手段と、
前記無線タグ情報通信装置による前記情報送受信内容に対応した第１印字と、前記媒体識別子情報入力手段で入力した前記媒体識別子情報に対応した第２印字とを印刷する印字手段と
を有することを特徴とする印字装置。
【請求項１７】
略テープ状の形状を備えたテープ基材層と、
このテープ基材層の厚み方向一方側に設けられ、当該テープ基材層を貼り付け対象に貼り付けるための貼り付け用粘着剤層と、
この貼り付け用粘着剤層の前記一方側を覆うとともに貼り付け時には剥離される剥離材層とを有し、
情報を記憶するＩＣ回路部と情報の送受信を行うアンテナとを備えた無線タグ回路素子を有する複数の無線タグ媒体を作成するためのタグテープであって、
前記複数の無線タグ媒体を特定するための媒体識別子を前記剥離材層に形成したことを特徴とするタグテープ。
【発明の詳細な説明】
【技術分野】
【０００１】
本発明は、被印字材に所望の文字を印刷して印字ラベルを作成する印字装置、無線タグ回路素子と無線通信を行う無線タグ情報通信装置及びこれらを有するタグラベル作成システム並びにタグテープに関する。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、物流管理や検査工程等の様々な分野において既に実用化が進んでいる。
【０００３】
このような無線タグについて、内部に記憶された無線タグ情報とは別にその無線タグ情報に関連した情報をラベルに印字し、このラベルを無線タグに貼り合わせて使用する（＝印字付き無線タグラベル）ようにすれば、ユーザ側から上記関連情報を視認できて何かと便利である。このため、従来、そのような観点からのラベル作成装置が既に提唱されている（例えば、特許文献１参照）。
【０００４】
この従来技術は、ラベルとしての名刺に、対応する無線タグ情報を記憶する無線タグを貼り合わせて用いるためのものである。すなわち、プリンタ部によってブランクカードの表面に文字を印字してラベル（名刺）を形成する一方、リーダ／ライタ部によって無線タグに上記印字文字に対応した無線タグ情報（文字テキストデータ）を書き込む。このようにして無線タグ情報を書き込んだ無線タグと、上記印字済のラベルとをそれぞれ別々に生成し、これらをユーザが貼り付けることにより印字付き無線タグラベル（無線タグ付き名刺）を完成させることができる。
【０００５】
【特許文献１】特開２００３−８５４８５号公報（段落番号０００５〜００１１、図１〜図３）
【発明の開示】
【発明が解決しようとする課題】
【０００６】
しかしながら、上記従来技術には以下の課題が存在する。
【０００７】
すなわち、上記従来技術においては、後に貼り合わせることとなるラベルと無線タグとを別々に生成するが、その生成時に特にそれらの組み合わせを明確に関連づける目印や識別子を設けていない。このため、例えば印字付き無線タグラベルを大量に作成するために、ラベルとこれに対応する無線タグとを別々に排出しながら連続的に生成を行っていくと、一方の排出口から多数のラベルが排出されると共に、他方の排出口からは多数のタグが排出されることとなる。この結果、操作者は貼り合わせるものどうしの正しい組み合わせを認識することが困難となり、誤って本来貼り合わせる対象でないものどうしを貼り合わせてしまう可能性がある。
【０００８】
本発明の目的は、無線タグとこれに対応する印字情報を備えたラベルとを別々に生成して印字付き無線タグラベルとする場合でも、操作者が貼り合わせるものどうしの正しい組み合わせを容易に認識できるタグラベル作成システム、無線タグ情報通信装置、印字装置、タグテープを提供することにある。
【課題を解決するための手段】
【０００９】
上記目的を達成するために、第１の発明は、情報を記憶するＩＣ回路部と情報の送受信を行うアンテナとを備えた無線タグ回路素子を有する複数の無線タグ媒体と通信を行う無線タグ情報通信装置と、被印字媒体に対し印刷を行う印字装置とを有するタグラベル作成システムであって、前記無線タグ情報通信装置は、複数の前記無線タグ媒体を特定するための媒体識別子が形成された前記無線タグ媒体の前記無線タグ回路素子に対し無線通信を行うための通信手段と、この通信手段を介し前記無線タグ回路素子の前記ＩＣ回路部に対し情報送受信を行う情報アクセス手段と、前記媒体識別子に対応した媒体識別子情報を出力する媒体識別子情報出力手段とを備え、前記印字装置は、前記被印字媒体に対し、前記情報アクセス手段による前記情報送受信内容に対応した第１印字と、前記媒体識別子情報出力手段から出力された前記媒体識別子情報に対応した第２印字とを印刷する印字手段を備えることを特徴とする。
【００１０】
本願第１発明のタグラベル作成システムは、無線タグ回路素子を有する複数の無線タグ媒体に、当該無線タグ媒体を特定するための媒体識別子が形成されている。そして、この無線タグ媒体が無線タグ情報通信装置に供給されると、通信手段を介し、情報アクセス手段によって無線タグ回路素子のＩＣ回路部に情報送受信が行われて情報読み取り又は書き込みがなされる。一方、被印字媒体が供給されると、印字装置では、上記情報アクセス手段による情報送受信内容（情報読み取り内容又は書き込み内容）に対応した第１印字が当該被印字媒体に印字される。このようにして、無線タグ情報通信装置側で無線タグ回路素子に情報読み取り（又は書き込み）がなされた無線タグ媒体が作成され、印字装置側で当該情報読み取り（又は書き込み）に対応した第１印字がなされた被印字媒体が作成され、これらの互いに対応するものを貼り合わせることで、印字付きの無線タグラベルが完成する。このように、印字装置と無線タグ情報通信装置とを併せて用い、既存の印字装置を活用しつつ無線タグ情報通信装置を新たに追加するだけで無線タグラベルを作成することができる。この結果、ラベル印字機能と無線通信機能との両方を備えた新たな無線タグラベル作成装置を用意するのに比べ、製造コストを低減することができる。
【００１１】
そしてこのとき、本願第１発明では、無線タグ情報通信装置側の媒体識別子情報出力手段で、上記無線タグ媒体に形成された媒体識別子に対応した媒体識別子情報を出力した後、印字装置側の印字手段でその媒体識別子情報に対応した第２印字を被印字媒体に印刷する。この結果、操作者は、無線タグ媒体の媒体識別子と、被印字媒体に印刷された（当該媒体識別子に対応した）第２印字とを付き合わせることで、容易に貼り合わせるものどうしの正しい組み合わせを認識することができる。
【００１２】
第２の発明は、上記第１発明において、前記無線タグ情報通信装置と前記印字装置とは情報送受信可能に接続されていることを特徴とする。
【００１３】
これにより、無線タグ情報通信装置側の媒体識別子情報出力手段で、記無線タグ媒体に形成された媒体識別子に対応した媒体識別子情報を印字装置に出力することができる。したがって、印字装置側の印字手段でその媒体識別子情報に対応した第２印字を被印字媒体に印刷することが可能となる。この結果、操作者は、無線タグ媒体の媒体識別子と、被印字媒体に印刷された（当該媒体識別子に対応した）第２印字とを付き合わせることで、容易に貼り合わせるものどうしの正しい組み合わせを認識することができる。
【００１４】
第３の発明は、上記第２発明において、前記媒体識別子情報出力手段は、前記無線タグ回路素子の前記ＩＣ回路部に記憶された前記媒体識別子情報を、前記通信手段を介し取得する媒体識別子情報取得手段を備えることを特徴とする。
【００１５】
無線タグ回路素子のＩＣ回路部に媒体識別子情報を記憶させておくことで、この記憶された媒体識別子情報を媒体識別子情報取得手段が通信手段を介した無線通信により取得することができる。
【００１６】
第４の発明は、上記第２発明において、前記媒体識別子情報出力手段は、前記無線タグ媒体に印刷された前記媒体識別子情報に対応する検出子を光学的に読み取りを行う光学読み取り手段を備えることを特徴とする。
【００１７】
無線タグ媒体に媒体識別子情報に対応した検出子（例えば光学検出可能な所定のマーク等）を設けておき、この検出子を媒体識別子情報出力手段の光学読み取り手段が光学的に読み取りを行うことで、媒体識別子情報を取得することができる。
【００１８】
第５の発明は、上記第２乃至第４発明のいずれかにおいて、前記無線タグ情報通信装置及び前記印字装置に対する操作を行うための操作端末を有し、この操作端末は、前記無線タグ情報通信装置に媒体識別子情報要求信号を生成して出力する要求出力手段と、この要求出力手段からの前記媒体識別子情報要求信号に応じて前記媒体識別子情報出力手段から出力された前記媒体識別子情報を、前記印字装置へ送出する媒体識別子情報送出手段とを有することを特徴とする。
【００１９】
無線タグ情報通信装置と印字装置とに対応してそれらを操作するための操作端末を設ける。この操作端末が要求出力手段より媒体識別子情報要求信号を出力することにより、無線タグ情報通信装置の媒体識別子情報出力手段が媒体識別子情報を出力するので、その媒体識別子情報を取得する。そしてさらにこの取得した媒体識別子情報を、媒体識別子情報送出手段で印字装置へ送出することにより、印字装置側の印字手段でその媒体識別子情報に対応した第２印字を被印字媒体に印刷することができる。
【００２０】
第６の発明は、上記第５発明において、前記操作端末は、前記情報アクセス手段により前記情報送受信として前記ＩＣ回路部への情報書込みを行うときの当該書き込み情報及びこれに対応した前記第１印字の印字データを生成し、前記書き込み情報を前記無線タグ情報通信装置へ出力し、前記印字データを前記印字装置へ出力する第１出力手段を備えることを特徴とする。
【００２１】
第１出力手段より、書き込み情報を無線タグ情報通信装置へ出力してＩＣ回路部への情報書き込みを行わせるとともに、印字データを印字装置へ出力して被印字媒体への第１印字を行わせることにより、情報書き込みに対応した印字を備えた印字付き無線タグラベルを実現することができる。
【００２２】
第７の発明は、上記第６発明において、前記操作端末は、前記第１出力手段から出力する前記書き込み情報及び前記印字データの内容を設定入力するための第１設定入力手段を備えることを特徴とする。
【００２３】
これにより、無線タグラベルとして使用するときの書き込み情報及び印字内容を、操作者が操作端末側から所望に設定することができる。
【００２４】
第８の発明は、上記第２発明において、前記印字装置は、前記情報アクセス手段により前記情報送受信として前記ＩＣ回路部への情報書込みを行うときの当該書き込み情報を生成し、前記無線タグ情報通信装置へ出力する第２出力手段を備えることを特徴とする。
【００２５】
印字装置の第２出力手段より、書き込み情報を無線タグ情報通信装置へ出力してＩＣ回路部への情報書き込みを行わせることにより、印字手段の第１印字に対応した情報を書き込んだ印字付き無線タグラベルを実現することができる。
【００２６】
第９の発明は、上記第８発明において、前記印字装置は、前記印字情報、及び、前記第２出力手段から出力する前記書き込み情報の内容を設定入力するための第２設定入力手段を備えることを特徴とする。
【００２７】
これにより、無線タグラベルとして使用するときの書き込み情報及び印字内容を、操作者が印字装置側から所望に設定することができる。
【００２８】
第１０の発明は、上記第２乃至第９発明のいずれかにおいて、前記無線タグ回路素子の素子識別情報を対応する前記印字情報と関連づけて格納可能なデータベースを備えた記憶装置を有することを特徴とする。
【００２９】
これにより、情報読み取り（又は書き込み）に対応した印字を備えた印字付き無線タグラベルを実現するときに、無線タグ回路素子に記憶された情報と、被印字媒体への印字情報との関連づけを確実に保持することができる。また、無線タグ回路素子には素子識別情報のみを記憶させ、対応する対象物情報についてはデータベースへ書き込んでおき、無線タグ回路素子への記憶量負担を低減することも可能である。
【００３０】
第１１の発明は、上記第１０発明において、前記記憶装置は、読み取り専用の前記無線タグ回路素子から前記情報アクセス手段により取得された当該無線タグ回路素子の前記素子識別情報を対応する前記印字情報と関連付けて前記データベースに格納することを特徴とする。
【００３１】
これにより、予め無線タグ回路素子に記憶された素子識別情報を情報アクセス手段で読み取りながら、その読み取った素子識別情報に被印字媒体への印字情報を関連付けることで、情報に対応した印字を備えた印字付き無線タグラベルを実現することができる。
【００３２】
第１２の発明は、上記第２乃至第１１発明のいずれかにおいて、前記無線タグ媒体は、当該無線タグ媒体の厚み方向一方側に設けられ貼り付け対象に貼り付けるための貼り付け用粘着剤層と、この貼り付け用粘着剤層の前記一方側を覆うとともに貼り付け時には剥離される剥離材層とを備え、前記媒体識別子は、前記剥離材層の前記一方側表面に形成されていることを特徴とする。
【００３３】
これにより、操作者は、無線タグ情報通信装置で情報読み取り（又は書き込み）が行われた無線タグ媒体と印字装置で印字が行われた被印字媒体とを貼り合わせて印字付き無線タグラベルを作成する際、無線タグ媒体の剥離材層の表面に形成された媒体識別子と、被印字媒体に印刷された第２印字とを付き合わせることで、正しい組み合わせを確実に認識することができる。また、剥離材層はラベル使用時には引き剥がされることから、ラベル使用時には媒体識別子が存在しないようにして美観を向上できる。
【００３４】
第１３の発明は、上記第２乃至第１１発明のいずれかにおいて、前記無線タグ媒体は、当該無線タグ媒体の厚み方向一方側に設けられ貼り付け対象に貼り付けるための貼り付け用粘着剤層と、この貼り付け用粘着剤層の前記一方側を覆うとともに貼り付け時には剥離される剥離材層とを備え、前記媒体識別子は、前記無線タグ媒体の前記他方側表面に形成されていることを特徴とする。
【００３５】
これにより、操作者は、無線タグ情報通信装置で情報読み取り（又は書き込み）が行われた無線タグ媒体と印字装置で印字が行われた被印字媒体とを貼り合わせて印字付き無線タグラベルを作成する際、無線タグ媒体の剥離材層と反対側の表面に形成された媒体識別子と、被印字媒体に印刷された第２印字とを付き合わせることで、正しい組み合わせを確実に認識することができる。またラベル使用時に剥離材層が引き剥がされても媒体識別子がタグ媒体に残存しているので、使用時においても上記正しい組み合わせを確認することができる。
【００３６】
第１４の発明は、上記第２乃至第１３発明のいずれかにおいて、前記無線タグ情報通信装置と前記印字装置とは、局所ネットワーク又はＵＳＢケーブルを介し接続されていることを特徴とする。
【００３７】
ＬＡＮ接続又はＵＳＢケーブルで接続された無線タグ情報通信装置と印字装置との間で情報や信号の授受を行い、互いに連携して印字付き無線タグラベルを作成することができる。
【００３８】
上記目的を達成するために、第１５の発明は、情報を記憶するＩＣ回路部と情報の送受信を行うアンテナとを備えた無線タグ回路素子を有する複数の無線タグ媒体を特定するための媒体識別子が形成された前記無線タグ媒体の前記無線タグ回路素子に対し無線通信を行うための通信手段と、この通信手段を介し前記無線タグ回路素子の前記ＩＣ回路部に対し情報送受信を行う情報アクセス手段と、前記媒体識別子に対応した媒体識別子情報を出力する媒体識別子情報出力手段とを有することを特徴とする。
【００３９】
本願第１５発明においては、無線タグ回路素子を有する複数の無線タグ媒体に、当該無線タグ媒体を特定するための媒体識別子が形成されている。そして、この無線タグ媒体が無線タグ情報通信装置に供給されると、通信手段を介し、情報アクセス手段によって無線タグ回路素子のＩＣ回路部に情報送受信が行われて情報読み取り又は書き込みがなされる。このように、無線タグ情報通信装置側で無線タグ回路素子に情報読み取り（又は書き込み）がなされた無線タグ媒体が作成されることにより、印字装置を用いて上記情報アクセス手段による情報送受信内容（情報読み取り内容又は書き込み内容）に対応した印字を行った被印字媒体を貼り合わせれば、印字付きの無線タグラベルを完成することが可能となる。
【００４０】
そしてこのとき、本願第１５発明の無線タグ情報通信装置においては、媒体識別子情報出力手段で上記無線タグ媒体に形成された媒体識別子に対応した媒体識別子情報を出力することにより、印字装置側でその媒体識別子情報に対応した印字を被印字媒体に印刷するようにすれば、操作者は、無線タグ媒体の媒体識別子と、被印字媒体に印刷された（当該媒体識別子に対応した）印字とを付き合わせることが可能となる。この結果、容易に貼り合わせるものどうしの正しい組み合わせを認識することができる。
【００４１】
上記目的を達成するために、第１６の発明は、被印字媒体に対し印刷を行う印字装置であって、情報を記憶するＩＣ回路部と情報の送受信を行うアンテナとを備えた無線タグ回路素子を有する複数の無線タグ媒体に対し情報送受信を行う無線タグ情報通信装置により出力された、前記複数の無線タグ媒体を特定するための媒体識別子に対応した媒体識別子情報を入力する媒体識別子情報入力手段と、前記無線タグ情報通信装置による前記情報送受信内容に対応した第１印字と、前記媒体識別子情報入力手段で入力した前記媒体識別子情報に対応した第２印字とを印刷する印字手段とを有することを特徴とする。
【００４２】
本願第１６発明の印字装置では、被印字媒体が供給されると、印字手段が、無線タグ情報通信装置の無線タグ回路素子との情報送受信内容（情報読み取り内容又は書き込み内容）に対応した第１印字を当該被印字媒体に印刷する。すなわち、無線タグ情報通信装置側で無線タグ回路素子に情報読み取り（又は書き込み）がなされて作成された無線タグ媒体に対応して、印字装置側で当該情報読み取り（又は書き込み）に基づく第１印字がなされた被印字媒体を作成することにより、これらの互いに対応するものを貼り合わせることで、印字付きの無線タグラベルを完成することができる。
【００４３】
一方このとき、無線タグ媒体を特定するための媒体識別子情報が無線タグ情報通信装置より媒体識別子情報入力手段に入力され、上記印字手段は、当該媒体識別子情報に対応した第２印字も被印字媒体に印刷する。この結果、予め無線タグ媒体に媒体識別子を形成しておくことで、操作者は、その無線タグ媒体の媒体識別子と、印字手段により被印字媒体に印刷された（当該媒体識別子情報に対応した）第２印字とを付き合わせるだけで、容易に貼り合わせるものどうしの正しい組み合わせを認識することができる。
【００４４】
上記目的を達成するために、第１７の発明は、略テープ状の形状を備えたテープ基材層と、このテープ基材層の厚み方向一方側に設けられ、当該テープ基材層を貼り付け対象に貼り付けるための貼り付け用粘着剤層と、この貼り付け用粘着剤層の前記一方側を覆うとともに貼り付け時には剥離される剥離材層とを有し、情報を記憶するＩＣ回路部と情報の送受信を行うアンテナとを備えた無線タグ回路素子を有する複数の無線タグ媒体を作成するためのタグテープであって、前記複数の無線タグ媒体を特定するための媒体識別子を前記剥離材層に形成したことを特徴とする。
【００４５】
本願第１７発明のタグテープにおいては、無線タグ回路素子を有する複数の無線タグ媒体を作成するためのタグテープを無線タグ情報通信装置に供給することで、無線タグ回路素子のＩＣ回路部に情報読み取り（又は書き込み）を行うことができる。このようにして、無線タグ情報通信装置で無線タグ回路素子に情報読み取り（又は書き込み）がなされた無線タグ媒体を作成するとき、被印字媒体に印字可能な印字装置を用いて上記情報読み取り（又は書き込み）に対応した印字がなされた被印字媒体を作成するようにすれば、これらの互いに対応するものを貼り合わせることで印字付きの無線タグラベルを完成させることができる。
【００４６】
このとき、本願第１７発明のタグテープでは、剥離材層に、複数の無線タグ媒体を特定するための媒体識別子が形成されている。これにより、タグテープを無線タグ情報通信装置に供給したとき、その形成された媒体識別子に対応した媒体識別子情報を無線タグ情報通信装置側で取得し、印字装置側の印字手段でその媒体識別子情報に対応した印字を被印字媒体に印刷することが可能となる。このようにすれば、操作者は、タグテープに形成された媒体識別子と、被印字媒体に印刷された（当該媒体識別子に対応した）印字とを付き合わせるだけで、容易に貼り合わせるものどうしの正しい組み合わせを認識することができる。
【発明の効果】
【００４７】
本発明によれば、無線タグとこれに対応する印字情報を備えたラベルとを別々に複数枚を連続して生成し印字付き無線タグラベルとする場合でも、操作者が貼り合わせるものどうしの正しい組み合わせを容易に認識することができる。
【発明を実施するための最良の形態】
【００４８】
以下、本発明の実施の形態を図面を参照しつつ説明する。
【００４９】
本発明の第１の実施形態を図１〜図１４により説明する。
【００５０】
図１は、本実施形態の無線タグ情報通信装置と印字装置とを有するタグラベル作成システムを表すシステム構成図である。
【００５１】
図１に示すこのタグラベル作成システム１において、印字装置２及び無線タグ情報通信装置３は、有線あるいは無線による例えばＬＡＮ（Local  Area  Network）等の局所ネットワークである通信回線４を介して端末５（操作端末）、汎用コンピュータ６及び情報サーバ７に接続されている。
【００５２】
図２は、上記端末５の機能構成を表す機能ブロック図である。
【００５３】
この図２において、端末５は、各種設定入力のための画面等の表示を行うための表示部５０１と、操作者が操作入力を行うための適宜のボタン、キー、マウス等を備えた操作部５０２（第１設定入力手段）と、各種電子ファイルやアプリケーションソフト等が格納される例えばハードディスク等の記憶部５０３と、これら表示部５０１、操作部５０２、記憶部５０３を含む端末５全体の動作を制御する制御回路５０５と、この制御回路５０５と上記通信回線４とを接続する入出力インターフェース５０４とを有する。
【００５４】
一方、上記情報サーバ７は、無線タグ回路素子Ｔo（後述の図７参照）に書き込む書き込みデータ（又は固有の素子識別情報であるタグＩＤ）を対応する印字データと関連づけた形で（ここでは書き込みデータと印字データとの相関として）格納可能なデータベースを備えた記憶装置７０を有している。
【００５５】
図３は、上記端末５の制御回路５０５によって実行される制御手順を表すフローチャートである。なお、制御回路５０５は、操作者により操作部５０２を介して、又は汎用コンピュータ６からの適宜のタグラベル作成指示入力があった場合に、このフローを開始する。
【００５６】
この図３において、まずステップ１０では、表示部５０１に制御信号を出力し、上記印字装置２で作成される印字ラベルＳに印字する印字データ及び上記無線タグ情報通信装置３で作成されるタグシールＴｓ（無線タグ媒体）に書き込むタグデータの入力画面を表示させる。
【００５７】
次のステップＳ２０では、上記入力画面に応じて、操作者が操作部５０２を用いて印字データ及びタグデータを入力したか否かを判定する。印字データ及びタグデータの入力があった場合には、判定が満たされ次のステップＳ３０に移る。
【００５８】
ステップ３０では、入出力インターフェース５０４及び通信回線４を介し、無線タグ情報通信装置３に上記タグデータ及び作成されるタグシールＴｓの無線タグ回路素子Ｔoに関わる配列情報を要求するための配列情報要求信号を送信する。なお、詳細は後述するが、上記無線タグ情報通信装置３においてタグシール用カートリッジ１００Ａ（後述の図４参照）から繰り出される帯状のタグテープ１０１Ａ（後述の図４参照）には複数の無線タグ回路素子Ｔoが所定の順序で配列されており、上記配列情報はその配列に対応した情報（例えば何番目のタグであるかという情報）である。この配列情報は、上記タグテープ１０１Ａに備えられる各無線タグ回路素子Ｔoにそれぞれ記憶されている。
【００５９】
ステップ４０では、上記配列情報要求信号に応じ、無線タグ情報通信装置３から配列情報が入力されたか否かを判定する。配列情報の入力があった場合には、判定が満たされ次のステップＳ５０に移る。
【００６０】
ステップ５０では、上記ステップ１０で入力した印字データ及び上記ステップ４０で入力した入力した配列情報を、入出力インターフェース５０４及び通信回線４を介し印字装置２に送信する。
【００６１】
次のステップＳ６０では、上記タグデータ（又は無線タグ回路素子Ｔoの素子識別情報でもよい）及び印字データを入出力インターフェース５０４及び通信回線４を介し情報サーバ７に送信し、タグデータを対応する印字情報と関連付けた形で（ここではタグデータと印字データとの相関として）記憶装置７０に記憶させる。そして、本フローを終了する。
【００６２】
なお、上記において、端末５の制御回路５０５によって実行されるステップＳ３０の手順は、特許請求の範囲各項記載の無線タグ情報通信装置に媒体識別子情報要求信号を生成して出力する要求出力手段に相当し、ステップＳ５０の手順は、要求出力手段からの媒体識別子情報要求信号に応じて媒体識別子情報取得手段から出力されて取得された媒体識別子情報を印字装置へ送出する媒体識別子情報送出手段に相当する。また、これらステップＳ３０及びステップＳ５０は、書き込み情報を無線タグ情報通信装置へ出力し、印字データを印字装置へ出力する第１出力手段に相当する。
【００６３】
図４は、上記無線タグ情報通信装置３の詳細構造を表す概念的構成図である。
【００６４】
図４において、無線タグ情報通信装置３の装置本体９には、凹所としてのカートリッジホルダ部（図示せず）が設けられ、このホルダ部に、タグシールＴｓを生成するためのタグシール用カートリッジ１００Ａが着脱可能に取り付けられている。
【００６５】
タグシール用カートリッジ１００Ａは、帯状のタグテープ１０１Ａ（タグ媒体）が巻回されたタグロール１０２Ａと、上記タグテープ１０１Ａを矢印で示す方向にテープ送りをしカートリッジ１００Ａから繰り出すテープ送りローラ１０７Ａとを有している。タグロール１０２Ａは、リール部材１０２Ａａの周りに、長手方向に複数の無線タグ回路素子Ｔoがテープ長手方向に等間隔Ｌで順次形成された上記タグテープ１０１Ａを巻回している。
【００６６】
また装置本体９は、上記テープ送りローラ１０７Ａを駆動するテープ送りローラ駆動軸１２Ａと、このテープ送りローラ駆動軸１２Ａを駆動する例えばパルスモータであるタグシールカートリッジ用モータ１２３と、このカートリッジ用モータ１２３の駆動を制御するタグシールカートリッジ駆動回路１２４と、タグテープ１０１Ａを所定のタイミングで所定の長さに切断しタグシールＴｓを生成するカッタ１５Ａと、上記カッタ１５Ａを駆動して切断動作を行わせるソレノイド１２６と、そのソレノイド１２６を制御するソレノイド駆動回路１２７と、切断後の各タグシールＴｓを案内するための搬送ガイド１３と、上記タグテープ１０１Ａに備えられる無線タグ回路素子Ｔo（詳細は後述）との間でＵＨＦ帯等の高周波を用いて無線通信により信号の授受を行うアンテナ１４（通信手段）と、このアンテナ１４を介し上記無線タグ回路素子Ｔoへアクセスする（読み取り又は書き込みを行う）ための高周波回路２１と、無線タグ回路素子Ｔoから読み出された信号を処理するための信号処理回路２２と、タグテープ１０１Ａに設けられた各無線タグ回路素子Ｔoの配列を表す配列情報（言い換えれば作成されるタグシールＴｓを特定するための識別情報）としての印字ＲＡ（媒体識別子）と位置を表すマークＰＭを検出するセンサ１２９を有している。
【００６７】
なお、上記制御回路１３０は、上記高周波回路２１、信号処理回路２２、タグシールカートリッジ駆動回路１２４、ソレノイド駆動回路１２７等を介し、無線タグ情報通信装置３全体の動作を制御する。この制御回路１３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路１３０は、入出力インターフェイス１３１を介し例えば通信回線４に接続され、この通信回線４に接続された前述の印字装置２、端末５、汎用コンピュータ６、及び情報サーバ７等との間で情報のやりとりが可能となっている。
【００６８】
図５は、上記タグテープ１０１Ａの側断面構造を表す縦断面図であり、図４中のV部の部分拡大図に相当する図である。
【００６９】
図５において、タグテープ１０１Ａは、この例では３層構造となっており、内側に巻かれる側（図５中上側）よりその反対側（図５中下側）へ向かって、保護紙１０１ｅ（テープ基材層）、タグシールＴｓを貼り付け対象に貼り付けるための粘着材を備えた粘着層１０１ｆ（貼り付け用粘着剤層）、この粘着層１０１ｆの貼り付け側を覆う剥離紙１０１ｇ（剥離材層）の順序で積層され構成されている。
【００７０】
粘着層１０１ｆとテープ基材層である保護紙１０１ｅの間には、情報を記憶するＩＣ回路部１５１とこのＩＣ回路部１５１に接続され情報の送受信を行うアンテナ１５２が設けられており、これらＩＣ回路部１５１及びアンテナ１５２によって無線タグ回路素子Ｔoが構成されている。
【００７１】
剥離紙１０１ｇは、最終的にラベル状に完成したタグシールＴｓが印字ラベルＳと貼り合わせられた後（印字ラベルＳで覆われつつ）所定の商品等に貼り付けられる際に、これを剥がすことで粘着層１０１ｆにより当該商品等に接着できるようにしたものである。
【００７２】
また剥離紙１０１ｇの裏側（図５中下側）表面には、各無線タグ回路素子Ｔoに対応して、タグテープ１０１Ａにおける各無線タグ回路素子Ｔoの配列を表す配列情報としての印字ＲＡ（配列識別子。例えば♯１、♯２、・・・等）が予め形成されており、また対応する各無線タグ回路素子Ｔoの上記ＩＣ回路部１５１には、上記配列情報に対応するＩＤ情報が予め記憶されている。また、無線タグ回路素子Ｔoの位置に対応してその位置を示すマークＰＭが設けられている。マークＰＭは前述のセンサ１２９で検出されるようになっている。
【００７３】
図６は、上記高周波回路２１の詳細機能を表す機能ブロック図である。この図６において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００７４】
送信部３２は、制御回路１３０からの制御信号（搬送波発生指令信号）に応じ、無線タグ回路素子ＴoのＩＣ回路部１５１の無線タグ情報にアクセスする(読み取り又は書き込み)ための搬送波を発生させる水晶振動子３５、ＰＬＬ（Phase Locked Loop）３６、及びＶＣＯ（Voltage Controlled Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波（無線タグ情報）を、制御回路１３０からの「ＴＸ＿ＰＷＲ」信号によって増幅率を決定し増幅する可変送信アンプ３９とを備えている。そして、上記発生される搬送波は、好適にはＵＨＦ帯の周波数を用いており、上記送信アンプ３９の出力は、送受分離器３４を介してアンテナ１４に伝達されて無線タグ回路素子ＴoのＩＣ回路部１５１に供給される。なお、無線タグ情報は上記のように変調した信号に限られず、単なる搬送波のみの場合もある。
【００７５】
受信部３３は、アンテナ１４により受信された無線タグ回路素子Ｔoからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記アンテナ１４により受信された無線タグ回路素子Ｔoからの反射波と上記発生された後に移相器４９により位相が９０°遅れた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００７６】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態の無線タグ情報通信装置３では、Ｉ−Ｑ直交復調によって無線タグ回路素子Ｔoからの反射波の復調が行われる。
【００７７】
図７は、上記無線タグ回路素子Ｔoの機能的構成を表す機能ブロック図である。この図７において、無線タグ回路素子Ｔoは、無線タグ情報通信装置３側のアンテナ１４とＵＨＦ帯等の高周波を用いて非接触で信号の送受信を行う上記アンテナ１５２と、このアンテナ１５２に接続された上記ＩＣ回路部１５１とを有している。
【００７８】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００７９】
変復調部１５８は、アンテナ１５２により受信された上記無線タグ情報通信装置３のアンテナ１４からの通信信号の復調を行うと共に、上記制御部１５５からの応答信号に基づき、アンテナ１５２より受信された搬送波を変調反射する。
【００８０】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００８１】
上述した構成により、無線タグ情報通信装置３は、タグテープ１０１Ａに備えられる無線タグ回路素子ＴoのＩＣ回路部１５１に対し、予め記憶された上記配列情報を読み取るとともに端末５で入力されたタグデータの書き込みを行い、タグテープ１０１Ａを所定の長さに切断することで、タグシールＴｓを作成することができる（ＩＣ回路部１５１への情報の書き込み処理のついては後に詳述する）。
【００８２】
図８は、無線タグ情報通信装置３の制御回路１３０によって実行される制御のうち、上記タグシールＴｓの作成手順を表すフローチャートである。なお、制御回路１３０は、操作者により端末５又は汎用コンピュータ６から適宜のタグラベル作成指示入力があった場合に、このフローを開始する。
【００８３】
まず、ステップＳ１１０において、上記端末５により入力操作されたタグデータの書き込み時における通信不良等が疑われるときのリトライ（再試行）の回数をカウントする変数Ｎ、通信良好か不良かを表すフラグＦ、配列情報の読み取り時における無線タグ回路素子Ｔoからの応答がない場合にリトライ（再試行）を行う回数をカウントする変数Ｍを０に初期化する。
【００８４】
そして、ステップＳ１２０において、上記端末５から送信されたタグデータ及び配列情報要求信号が通信回線４を介して入力されたか否かを判定する。端末５からタグデータ及び配列情報要求信号が入力されると（前述の図３中ステップＳ３０参照）、この判定が満たされ、ステップＳ１３０に移る。
【００８５】
次のステップＳ１３０では、タグシールカートリッジ駆動回路１２４に制御信号を出力し、タグシールカートリッジ用モータ１２３の駆動力をテープ送りローラ１０７Ａに伝達し、回転駆動させる。これにより、タグテープ１０１Ａの搬送が開始されカートリッジ１００Ａから繰り出される。
【００８６】
次のステップＳ１４０では、タグテープ１０１Ａ（に備えられた無線タグ回路素子Ｔo）が通信位置（無線タグ回路素子Ｔoがアンテナ１４と略対峙する位置）に到達したか否かをセンサ１２９がマークＰＭを検出したかにより判定する。通信位置に到達するまで本ステップを繰り返し、到達すると判定が満たされて次のステップＳ２００に移る。
【００８７】
ステップＳ２００では、無線タグ回路素子Ｔoから配列情報を読み取るとともにタグデータの書き込みを行う無線通信処理を行う（詳細は後述の図９参照）。
【００８８】
そして、ステップＳ１５０において、フラグＦ＝０であるかどうか（言いかえれば無線通信処理が正常に終了したかどうか）を判定する。
【００８９】
無線通信処理が正常に完了していればＦ＝０のままである（後述の図９に示すフローのステップＳ２８５参照）ので、この判定が満たされ、ステップＳ１６０に移る。なお、何らかの理由で無線通信処理が正常に完了していない場合はＦ＝１とされている（後述の図９に示すフローのステップＳ２８５参照）ので、ステップＳ１５０の判定が満たされず、後述のステップＳ１９０に移る。
【００９０】
ステップＳ１６０では、上記無線通信処理により無線タグ回路素子Ｔoから取得した配列情報としてのＩＤ情報を入出力インターフェイス１３１及び通信回線４を介し端末５へ出力する。
【００９１】
その後、ステップＳ１７０において、タグテープ１０１Ａの搬送量の検出信号を入力し、タグテープ１０１Ａがカッタ１５Ａでカットすべき位置まで搬送されたかどうかを判断する。搬送量はタグテープ１０１Ａの長さがタグシールカートリッジ用モータ１２３の駆動量が作成すべきタグシールの長さＬに到達したかにより判定される。
【００９２】
判定が満たされたらステップＳ１７５に移り、タグシールカートリッジ駆動回路１２４に制御信号を出力し、タグシールカートリッジ用モータ１２３の駆動を停止して、テープ送りローラ１０７Ａの回転を停止する。これにより、タグロール１０２Ａからのタグテープ１０１Ａの繰り出しが停止する。
【００９３】
その後、ステップＳ１８０において、ソレノイド駆動回路１２７に制御信号を出力し、カッタ用ソレノイド１２６を駆動しカッタ１５Ａによってタグテープ１０１Ａの切断を行う。このカッタ１５Ａの切断によって、タグシールＴｓが生成される。
【００９４】
その後、ステップＳ１８５に移り、例えば適宜の駆動回路を介し、装置本体９の搬出口９Ａ（図１参照）側に位置する送出ローラ（図示せず）を回転させる。これにより、上記ステップＳ１８０で生成されたタグシールＴｓが搬出口９Ａから無線タグ情報通信装置３外へと搬出され、このフローを終了する。
【００９５】
一方、上記ステップＳ１９０では、書き込み失敗（エラー）信号を入出力インターフェイス１３１及び通信回線４を介し端末５へ出力し、端末５の表示部５０１にエラーメッセージ（「通信が失敗しました」等）を表示させて操作者に対しエラーを報知する。そして、このフローを終了する。なお、上記エラー報知は必ずしも端末５で行わなくてもよく、汎用コンピュータ６で行ってもよいし、無線タグ情報通信装置３自身が表示手段等を有する場合には当該表示手段で行ってもよい。また、表示でなく音声による報知を行ってもよい。
【００９６】
なお、上記において、無線タグ情報通信装置３の制御回路１３０によって実行されるステップＳ２００の手順は、特許請求の範囲各項記載の通信手段を介し無線タグ回路素子のＩＣ回路部に対し情報送受信を行う情報アクセス手段に相当し、ステップＳ１６０が、媒体識別子に対応した媒体識別子情報を出力する媒体識別子情報出力手段に相当する。
【００９７】
図９は、上述したステップＳ２００の詳細手順を表すフローチャートである。
【００９８】
まずステップＳ２１０において、無線タグ回路素子Ｔoに予め記憶された上記配列情報を読み取るための問合せコマンド（例えば「Scroll  ALL  ID」コマンド）を信号処理回路２２に出力する。これに基づき信号処理回路２２でアクセス情報としての問合せ信号が生成されて高周波回路２１を介してアクセス対象（この例では読み取り対象）の無線タグ回路素子Ｔoに送信する。
【００９９】
次に、ステップＳ２２０において、上記問合せ信号に対応して読み取り対象の無線タグ回路素子Ｔoから送信されたリプライ信号をアンテナ１４を介して受信し、高周波回路２１及び信号処理回路２２を介し取り込む。
【０１００】
次に、ステップＳ２５０において、上記リプライ信号に基づき、当該無線タグ回路素子Ｔoに予め記憶された配列情報を取得したか否かを判定する。
【０１０１】
判定が満たされない場合はステップＳ２６０に移ってＭに１を加え、さらにステップＳ２７０においてＭ＝５かどうかが判定される。Ｍ≦４の場合は判定が満たされずステップＳ２１０に戻り同様の手順を繰り返す。Ｍ＝５の場合はステップＳ２８５に移り、フラグＦ＝１にしてこのルーチンを終了する。このようにして読み取りが不調でも５回までは再試行が行われる。
【０１０２】
ステップＳ２５０の判定が満たされた場合、ステップＳ２９０に移り、端末５により図３のＳ１０で入力されたデータを無線タグ回路素子Ｔoのメモリ部１５７に書き込む「Program」コマンドを信号処理回路２２に出力する。これに基づき信号処理回路２２で本来書き込みたい所定の情報であるアクセス情報としての「Program」信号が生成されて高周波回路２１を介して情報書き込み対象の無線タグ回路素子Ｔoに送信され、そのメモリ部１５７に上記所定の情報が書き込まれる。
【０１０３】
その後、ステップＳ３００において、「Verify」コマンドを信号処理回路２２に出力する。これに基づき信号処理回路２２でアクセス情報としての「Verify」信号が生成されて高周波回路２１を介して情報書き込み対象の無線タグ回路素子Ｔoに送信され、返信を促す。その後ステップＳ３１０において、上記「Verify」信号に対応して書き込み対象の無線タグ回路素子Ｔoから送信されたリプライ信号をアンテナ１４を介して受信し、高周波回路２１及び信号処理回路２２を介し取り込む。
【０１０４】
次に、ステップＳ３２０において、上記リプライ信号に基づき、当該無線タグ回路素子Ｔoのメモリ部１５７内に記憶された情報を確認し、前述の送信した所定の情報がメモリ部１５７に正常に記憶されたか否かを判定する。
【０１０５】
判定が満たされない場合はステップＳ３３０に移ってＮに１を加え、さらにステップＳ３４０においてＮ＝５かどうかが判定される。Ｎ≦４の場合は判定が満たされずステップＳ２９０に戻り同様の手順を繰り返す。Ｎ＝５の場合は前述したステップＳ２８５に移り、同様にＦ＝１として、このルーチンを終了する。このようにして情報書き込みが不調でも５回までは再試行が行われる。
【０１０６】
ステップＳ３２０の判定が満たされた場合、ステップＳ３５０に移り、「Lock」コマンドを信号処理回路２２に出力する。これに基づき信号処理回路２２で「Lock」信号が生成されて高周波回路２１を介して情報書き込み対象の無線タグ回路素子Ｔoに送信され、当該無線タグ回路素子Ｔoへの新たな情報の書き込みを禁止し、このルーチンを終了する。
【０１０７】
以上のルーチンにより、アクセス対象の無線タグ回路素子ＴoのＩＣ回路部１５１から予め記憶された上記配列情報を読み取るとともに、当該無線タグ回路素子ＴoのＩＣ回路部１５１に対し端末５で入力されたタグデータの書き込みを行うことができる。
【０１０８】
なお、上記において、無線タグ情報通信装置３の制御回路１３０によって実行されるステップＳ２５０の手順は、無線タグ回路素子のＩＣ回路部に記憶された媒体識別子情報を通信手段を介し取得する媒体識別子情報取得手段に相当する。
【０１０９】
図１０は、上記印字装置２の全体構造を概念的に表す概念的構成図である。図１０において、印字装置２の装置本体８には、印字ラベルＳを生成するための印字ラベル用カートリッジ１００が着脱可能に取り付けられている。
【０１１０】
印字ラベル用カートリッジ１００は、帯状のラベル基材テープ１０１が巻回された第１ロール１０２と、上記ラベル基材テープ１０１と略同じ幅である透明な印字用カバーフィルム１０３が巻回された第２ロール１０４と、インクリボン１０５を繰り出すリボン供給側ロール１１１と、印字後のリボン１０５を巻取るリボン巻取りローラ１０６と、ラベル基材テープ１０１とカバーフィルム１０３とを押圧し接着させ印字済ラベルテープ１１０としつつ矢印で示す方向にテープ送りをし、印字ラベル用カートリッジ１００から繰り出すテープ送りローラ１０７とを有している。
【０１１１】
また装置本体８は、上記カバーフィルム１０３（被印字媒体）に所定の印字（印刷）を行う印字手段としての印字ヘッド（サーマルヘッド）１０と、この印字ヘッド１０への通電を制御する印刷駆動回路２５と、上記リボン巻取りローラ１０６を駆動するリボン巻取りローラ駆動軸１１と、上記テープ送りローラ１０７を駆動するテープ送りローラ駆動軸１２と、このテープ送りローラ駆動軸１２及び上記リボン巻取りローラ駆動軸１１を駆動する例えばパルスモータである印字ラベルカートリッジ用モータ２３と、この印字カートリッジ用モータ２３の駆動を制御する印字ラベルカートリッジ駆動回路２４と、印字済ラベルテープ１１０を所定のタイミングで所定の長さに切断し印字ラベルＳを生成するカッタ１５と、このカッタ１５を駆動して切断動作を行わせるカッタ用ソレノイド２６と、このソレノイド２６を制御するソレノイド駆動回路２７とを有している。
【０１１２】
上記の印字ラベルカートリッジ駆動回路２４、印刷駆動回路２５、ソレノイド駆動回路２７は、制御回路３０によって制御される。この制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線４に接続され、この通信回線４に接続された前述の端末５、汎用コンピュータ６及び情報サーバ７等との間で情報のやりとりが可能となっている。
【０１１３】
上記構成において、上記カートリッジ用モータ２３の駆動力によってリボン巻取りローラ１０６及びテープ送りローラ１０７が矢印で示す方向にそれぞれ同期して回転駆動される。このとき、上記テープ送りローラ駆動軸１２とサブローラ１０９及びプラテンローラ１０８とはギヤ（図示せず）にて連結されており、テープ送りローラ駆動軸１２の駆動に伴いテープ送りローラ１０７、サブローラ１０９、及びプラテンローラ１０８が回転する。この結果、第１ロール１０２から４層構造（後述）のラベル基材テープ１０１が繰り出されテープ送りローラ１０７へ供給されるとともに、第２ロール１０４よりカバーフィルム１０３が繰り出される。
【０１１４】
この繰り出されたカバーフィルム１０３は、その裏面側（すなわち上記ラベル基材テープ１０１と接着される側）に配置された上記リボン供給側ロール１１１及びリボン巻取りローラ１０６で駆動されるリボン１０５とともに印字ヘッド１０とプラテンローラ１０８との間に狭持され、上記印字ヘッド１０に押圧されることで当該カバーフィルム１０３の裏面に当接させられる。このとき、上記印刷駆動回路２５により印字ヘッド１０の複数の発熱素子が通電され、カバーフィルム１０３の裏面の所定の領域（被印字面）に所定の文字、記号、バーコード、ストライプ等の印字Ｒ１，Ｒ２（後述の図１３等参照）が印刷される（詳細は後述）。カバーフィルム１０３への印字が終了したインクリボン１０５は、リボン巻取りローラ駆動軸１１の駆動によりリボン巻取りローラ１０６に巻取られる。
【０１１５】
印字後のカバーフィルム１０３は、上記ラベル基材テープ１０１とともにテープ送りローラ１０７及びサブローラ１０９との間に狭持され、この結果互いに接着されて一体化され、印字済ラベルテープ１１０として形成される。そして、その印字済ラベルテープ１１０がカッタ１５によって所定の長さに切断されることで、印字ラベルＳ（詳細は後述）が生成され、その印字ラベルＳが搬出口８Ａ（図１参照）から搬出される。
【０１１６】
図１１は、上記印字ラベルＳの側断面構造を表す縦断面図であり、図１０中のXI部の部分拡大図に相当する図である。
【０１１７】
図１１において、印字ラベルＳは、前述したようにカバーフィルム１０３の裏面にこの例では４層構造の上記ラベル基材テープ１０１が接着された構造となっている。ラベル基材テープ１０１の部分は、カバーフィルム１０３側（図１１中上側）よりその反対側へ向かって、粘着層１０１ａ、ＰＥＴ（ポリエチレンテレフタラート）等から成る色付きのベースフィルム１０１ｂ、貼り付け対象に貼り付けるための粘着材を備えた粘着層１０１ｃ、この粘着層１０１ｃの貼り付け側を覆う剥離紙１０１ｄの順序で積層され構成されている。なお、この剥離紙１０１ｄは、最終的に貼り付け対象に貼り付けられる際に、これを剥がすことで粘着層１０１ｃにより接着できるようにしたものである。
【０１１８】
図１２は、印字装置２の制御回路３０によって実行される印字制御手順を表すフローチャートである。なお、制御回路３０は、操作者により端末５又は汎用コンピュータ６から適宜のタグラベル作成指示入力があった場合に、このフローを開始する。
【０１１９】
まず、ステップＳ４１０において、端末５より印刷データ及び配列情報が通信回線４を介して入力されたか否かを判定する。端末５から印刷データ及び配列情報が入力されると（前述の図３中ステップ５０参照）、この判定が満たされ、ステップＳ４２０に移る。
【０１２０】
ステップＳ４２０において、印字ラベルカートリッジ駆動回路２４に制御信号を出力し、印字ラベルカートリッジ用モータ２３の駆動力をリボン巻取りローラ１０６及びテープ送りローラ１０７に伝達し回転駆動させる。これにより、第１ロール１０２から４層構造のラベル基材テープ１０１が繰り出されてテープ送りローラ１０７へ供給され、第２ロール１０４からはカバーフィルム１０３が繰り出される。
【０１２１】
またこのとき、印刷駆動回路２５に制御信号を出力し、印字ヘッド１０を通電して、カバーフィルム１０３の所定領域に、ステップＳ４１０で入力した印字データ及び配列情報に基づくラベル印字Ｒ１，Ｒ２（後述の図１３参照）を印刷させる。
【０１２２】
その後ステップＳ４３０でラベル印字Ｒ１，Ｒ２の印刷が完了した後、ステップＳ４４０に移る。
【０１２３】
ステップＳ４４０では、印字済ラベルテープ１１０の搬送量の検出信号を入力し、印字済ラベルテープ１１０がカッタ１５でカットすべき位置まで搬送されたかどうかを判断する。搬送量は印字済ラベルテープ１１０の長さが印字ラベルカートリッジ用モータ２３の駆動量が作成すべき印字ラベルの長さＬに到達したかにより判定される。
【０１２４】
判定が満たされたらステップＳ４５０に移り、印字ラベルカートリッジ駆動回路２４に制御信号を出力し、印字ラベルカートリッジ用モータ２３の駆動を停止して、テープ送りローラ１０７及びリボン巻取りローラ１０６の回転を停止する。これにより、第１ロール１０２からのラベル基材テープ１０１の繰り出し・搬送、第２ロール１０４からのカバーフィルム１０３の繰り出し・搬送、及びリボン供給側ロール１１１からのインクリボン１０５の繰り出しが停止する。
【０１２５】
その後、ステップＳ４６０において、ソレノイド駆動回路２７に制御信号を出力し、カッタ用ソレノイド２６を駆動しカッタ１５によって印字済ラベルテープ１１０の切断を行う。このカッタ１５の切断によって、ラベル印字Ｒ，Ｒ２が含まれた印字ラベルＳが生成される。
【０１２６】
その後、ステップＳ４７０に移り、例えば適宜の駆動回路を介し、装置本体８の搬出口８Ａ（図１参照）側に位置する送出ローラ（図示せず）を回転させる。これにより、上記ステップＳ４６０で生成された印字ラベルＳが搬出口８Ａから装置２外へと搬出される。
【０１２７】
なお、上記において、印字装置２の制御回路３０によって実行されるステップＳ４１０の手順は、無線タグ情報通信装置により出力された、前記複数の無線タグ媒体を特定するための媒体識別子に対応した媒体識別子情報を入力する媒体識別子情報入力手段に相当する。
【０１２８】
図１３は、以上のようにして生成されたタグシールＴｓ及び印字ラベルＳの利用法を説明するための説明図である。
【０１２９】
図１３に示すように、印字ラベルＳは、その表側に印字データを表す印字Ｒ１（第１印字）と対応する無線タグ回路素子ＴoにＩＤ情報として記憶された配列情報を表す印字Ｒ２（第２印字）とが印刷されている。この配列情報を表す印字Ｒ２が、使用時にタグシールＴｓ側との照合の目印となる。一方、タグシールＴｓは、前述のようにその内部に無線タグ回路素子Ｔoを内包しており、照合の目印となる印字ＲＡが予め裏側の剥離紙１０１ｇに印字されている。
【０１３０】
上記印字ラベルＳの印字Ｒ２とタグシールＴｓの印字ＲＡとを比較対照することにより、印字ラベルＳ及びタグシールＴｓの貼り合わせ相手を互いに照合した後、印字ラベルＳの裏面（正確には剥離紙１０１ｄを剥がした後の粘着層１０１ｃ）にタグシールＴｓをその表側を印字ラベルＳ側に向けて貼り合わせることで、印字付きの無線タグラベルＴが生成される。この無線タグラベルＴを例えば文書その他の物品等の貼り付け対象物に貼り付けて用いることができる。もちろん、最初にタグシールＴｓを貼り付け対象物に貼り付け、その上から印字ラベルＳを重ねて貼り合わせても良い。
【０１３１】
次に、以上のように構成した本実施形態の動作について、図１４により説明する。
【０１３２】
本実施形態のタグラベル作成システム１においては、まず操作者が、無線タグ回路素子Ｔoに書き込むタグデータとこれに対応する印字データとを端末５により操作入力する。すると、これらのデータのうちタグデータ（印字データを含めてもよい）と、無線タグ回路素子Ｔoに予め書き込まれた配列情報を取得するための要求信号とが無線タグ情報通信装置３に送られる（図中矢印Ａ参照）。これらを受信した無線タグ情報通信装置３は、無線タグ回路素子Ｔoから配列情報を読み取るとともにタグデータの書き込みを行い、タグシールＴｓを生成する。一方で、無線タグ情報通信装置３は、上記無線タグ回路素子Ｔoから読み取った配列情報を端末５に送信する（図中矢印Ｂ参照）。
【０１３３】
上記無線タグ情報通信装置３からの配列情報を受信した端末５は、当該配列情報と操作者により入力された印字データとを、印字装置２に送信する（図中矢印Ｃ参照）。これらのデータを受信した印字装置２では、印字ヘッド１０によって上記印字データ及び配列情報にそれぞれ対応した印字がカバーフィルム１０３に対して行われ、更に印字後のカバーフィルム１０３とラベル基材テープ１０１とが一体化されてなる印字済ラベルテープ１１０をカッタ１５で切断することで、印字ラベルＳが生成されて搬出される。そして、端末５は、タグデータとこれに対応する印字データとを情報サーバ７に送信して記憶装置７０に格納する（図中矢印Ｄ参照）。
【０１３４】
このようにして、タグシールＴｓと印字ラベルＳとが生成された後、操作者がタグシールＴｓに予め印字された配列情報としての印字ＲＡと、印字ラベルＳの印字Ｒ２とを用いて対応するタグシールＴｓと印字ラベルＳとを照合し、タグシールＴｓを印字ラベルＳに取り付けることにより、印字付きの無線タグラベルＴが完成されることになる。
【０１３５】
以上のように本実施形態にあっては、無線タグ回路素子Ｔoが複数個所定の順序で配列されたタグテープ１０１Ａに、当該配列に対応した印字ＲＡが形成されている。そして、このタグテープ１０１Ａが無線タグ情報通信装置３に供給されると、アンテナ１４を介し、制御回路１３０によって無線タグ回路素子ＴoのＩＣ回路部１５１に情報送受信が行われて情報読み取り又は書き込みがなされる。一方、カバーフィルム１０３が供給されると、印字装置２では、上記無線タグ情報通信装置３の制御回路１３０による情報送受信内容（情報読み取り内容又は書き込み内容）に対応した印字Ｒ１が当該カバーフィルム１０３に印字される。このようにして、無線タグ情報通信装置３側で無線タグ回路素子Ｔoに情報読み取り（又は書き込み）がなされたタグシールＴｓが作成され、印字装置２側で当該情報読み取り（又は書き込み）に対応した印字Ｒ１がなされた印字ラベルＳが作成され、これらの互いに対応するものを貼り合わせることで、印字付きの無線タグラベルＴが完成する。このように、印字装置２と無線タグ情報通信装置３とを併せて用い、既存の印字装置２を活用しつつ無線タグ情報通信装置３を新たに追加するだけで無線タグラベルＴを作成することができる。この結果、ラベル印字機能と無線通信機能との両方を備えた新たな無線タグラベル作成装置を用意するのに比べ、製造コストを低減することができる。
【０１３６】
そしてこのとき、本実施形態では、無線タグ情報通信装置３側の制御回路１３０で、上記タグテープ１０１Ａに記憶された配列情報を取得した後、印字装置２側の印字ヘッド１０でその配列情報に対応した印字Ｒ２をカバーフィルム１０３に印刷する。この結果、操作者は、タグシールＴｓの印字ＲＡと、印字ラベルＳに印刷された印字Ｒ２とを付き合わせることで、容易に貼り合わせるものどうしの正しい組み合わせを認識することができる。
【０１３７】
また、本実施形態では特に、端末５が、タグデータ及び印字データの内容を設定入力するための操作部５０２を備え、操作者がこの操作部５０２を用いてタグデータ及び印字データを設定入力可能な構成とする。これにより、最終的に生成される無線タグラベルＴとして使用するときの書き込み情報及び印字内容を、操作者が端末５側から所望に設定することができる。
【０１３８】
また、本実施形態では特に、情報サーバ７が、無線タグ回路素子Ｔoに書き込む書き込みデータ（又は固有の素子識別情報であるタグＩＤ）を対応する印字データと関連づけた形で格納可能なデータベースを備えた記憶装置７０を有する構成とする。これにより、情報読み取り（又は書き込み）に対応した印字を備えた印字付き無線タグラベルＴを実現するときに、タグシールＴｓの無線タグ回路素子Ｔoに記憶された情報と、印字ラベルＳへの印字情報との関連づけを確実に保持することができる。また、このように記憶装置７０を有することにより、無線タグ回路素子Ｔoには素子識別情報のみを記憶させ、対応する対象物情報については記憶装置７０のデータベースへ書き込んでおき、無線タグ回路素子Ｔoへの記憶量負担を低減することも可能である。
【０１３９】
また、本実施形態では特に、タグテープ１０１Ａの剥離紙１０１ｇの裏面側表面に、タグテープ１０１Ａにおける各無線タグ回路素子Ｔoの配列を表す配列情報としての印字ＲＡが予め形成されている。これにより、操作者は、無線タグ情報通信装置３で情報読み取り（又は書き込み）が行われたタグシールＴｓと印字装置２で印字が行われた印字ラベルＳとを貼り合わせて印字付き無線タグラベルＴを作成する際、タグシールＴｓの剥離紙１０１ｇの裏側表面に形成された印字ＲＡと、印字ラベルＳに印刷された印字Ｒ２とを付き合わせることで、正しい組み合わせを確実に認識することができる。また、剥離紙１０１ｇはラベル使用時には引き剥がされることから、ラベル使用時には印字ＲＡが存在しないようにして美観を向上できる。
【０１４０】
本発明の第２の実施形態を図１５〜図１８により説明する。上記第１の実施形態と同等の部分には同一の符号を付し、適宜説明を省略する。
【０１４１】
本実施形態は、上記第１の実施形態のように端末５においてタグデータ及び印字データを入力するのではなく、印字装置２においてタグデータ及び印字データを入力するものである。
【０１４２】
図１５は、本実施形態の印字装置及び無線タグ情報通信装置を備えたタグラベル作成システムを表すシステム構成図である。
【０１４３】
この図１５において、タグラベル作成システム１Ａは印字装置２Ａと無線タグ情報通信装置３Ａとを有しており、これら印字装置２Ａと無線タグ情報通信装置３Ａとは例えばＵＳＢケーブル等の接続手段４Ａを介してローカル接続されている。
【０１４４】
図１６は、上記印字装置２Ａの全体構造を概念的に表す概念的構成図であり、前述の図１０に対応する図である。図１０と同様の部分には同符号を付し説明を省略する。
【０１４５】
この図１６において、印字装置２Ａの装置本体８は、操作者が操作入力を行うための適宜のボタン、キー等を備えた操作部２８（第２設定入力手段）と、無線タグ回路素子Ｔoに書き込む書き込みデータ（又は固有の識別情報であるタグＩＤ）を対応する印字データと関連づけた形で（ここでは書き込みデータと印字データとの相関として）格納可能なデータベースを備えた記憶部２８とを有している。操作者は、上記操作部２８を用いて書き込みデータ及び印字データを入力することができるようになっている。その他の構成については、前述の図１０と同様である。
【０１４６】
図１７は、上記印字装置２Ａの制御回路３０Ａによって実行される印字制御手順を表すフローチャートであり、前述の図１２に対応する図である。図１２と同様の手順には同符号を付し説明を省略する。なお、制御回路３０Ａは、操作者により操作部２８を介し適宜のタグラベル作成指示入力があった場合に、このフローを開始する。
【０１４７】
まず、ステップＳ４０１では、操作者が操作部２８を用いて印字データ及びタグデータを入力したか否かを判定する。印字データ及びタグデータの入力があった場合には、判定が満たされ次のステップＳ４０５に移る。なお、ここで入力された印字データ及びタグデータは、適宜の記憶手段（記憶部２９又は制御回路３０Ａが有するメモリ等）に一時的に保存される。
【０１４８】
ステップ４０５では、入出力インターフェース３１及び接続手段４Ａを介し、無線タグ情報通信装置３Ａに上記タグデータ及び作成されるタグシールＴｓの無線タグ回路素子Ｔoに関わる配列情報を要求するための配列情報要求信号を送信する。
【０１４９】
次のステップ４０７では、上記配列情報要求信号に応じ、無線タグ情報通信装置３Ａから配列情報が入力されたか否かを判定する。配列情報の入力があった場合には、判定が満たされ次のステップＳ４２０に移る。
【０１５０】
次のステップＳ４２０では、テープ搬送を開始すると共に、印字ヘッド１０でカバーフィルム１０３の所定領域に上記ステップＳ４０１で入力した印字データ及び上記ステップＳ４０７で入力した配列情報に基づくラベル印字Ｒ１，Ｒ２を印刷させる。
【０１５１】
その後のステップＳ４３０〜ステップＳ４７０は前述の図１２と同様であり、ラベル印字Ｒ１，Ｒ２の印刷が完了し、印字済ラベルテープ１１０がカッタ１５でカットすべき位置まで搬送されたらテープ搬送を停止し、カッタ１５によって印字済ラベルテープ１１０の切断を行うことでラベル印字Ｒ，Ｒ２が含まれた印字ラベルＳを生成し、生成された印字ラベルＳを搬出口８Ａから装置２外へと搬出する。
【０１５２】
そして、次のステップＳ４８０では、上記タグデータ（又は無線タグ回路素子Ｔoの識別情報でもよい）及び印字データを、タグデータを対応する印字情報と関連付けた形で（ここではタグデータと印字データとの相関として）記憶部２９に記憶させる。そして、本フローを終了する。
【０１５３】
なお、上記において、印字装置２Ａの制御回路３０Ａによって実行されるステップＳ４０５は、情報アクセス手段により情報送受信としてＩＣ回路部への情報書込みを行うときの当該書き込み情報を生成し無線タグ情報通信装置へ出力する第２出力手段に相当する。
【０１５４】
図１８は、上記無線タグ情報通信装置３Ａの制御回路１３０Ａ（図示せず）によって実行される制御のうち、上記タグシールＴｓの作成手順を表すフローチャートであり、前述の図８に対応する図である。図８と同様の手順には同符号を付し説明を省略する。なお、制御回路１３０Ａは、印字装置２Ａからの適宜のタグラベル作成指示入力があった場合に、このフローを開始する。
【０１５５】
ステップＳ１１０は前述の図８と同様であり、変数Ｍ，Ｎ、フラグＦを０に初期化する。次のステップＳ１２０Ａでは、印字装置２Ａから送信されたタグデータ及び配列情報要求信号（上記ステップＳ４０５参照）が接続手段４Ａを介して入力されたか否かを判定する。印字装置２Ａからタグデータ及び配列情報要求信号が入力されると、判定が満たされて次のステップＳ１３０に移る。
【０１５６】
ステップＳ１３０〜ステップＳ１５０は前述の図８と同様であり、タグテープ１０１Ａの搬送を開始して通信位置に到達したら、無線タグ回路素子Ｔoとの無線通信処理を行う。無線通信処理が正常に完了した場合には、ステップＳ１６０Ａに移る。
【０１５７】
ステップＳ１６０Ａでは、上記無線通信処理により無線タグ回路素子Ｔoから取得した配列情報を入出力インターフェイス１３１及び接続手段４Ａを介し印字装置２Ａへ出力する。
【０１５８】
次のステップＳ１７０〜ステップＳ１８５は前述の図８と同様であり、タグテープ１０１Ａがカッター位置に到達したらその搬送を停止し、カッター１５Ａで切断してタグシールＴｓを生成する。そして、装置外に搬出する。
【０１５９】
なお、無線通信処理が正常に終了しなかった場合には、ステップＳ１５０の判定が満たされずにステップＳ１９０Ａに移り、書き込み失敗（エラー）信号を入出力インターフェイス１３１及び接続手段４Ａを介して印字装置２Ａへ出力し、図示しない印字装置２Ａの表示部にエラーメッセージ（「通信が失敗しました」等）を表示させて操作者に対しエラーを報知する。そして、このフローを終了する。なお、上記エラー報知は必ずしも印字装置２Ａで行わなくてもよく、無線タグ情報通信装置３Ａ自身が表示手段等を有する場合には当該表示手段で行ってもよい。また、表示でなく音声による報知を行ってもよい。
【０１６０】
次に、以上のように構成した本実施形態の動作を説明する。
【０１６１】
本実施形態のタグラベル作成システム１Ａにおいては、まず操作者が、無線タグ回路素子Ｔoに書き込むタグデータとこれに対応する印字データとを印字装置２Ａにより操作入力する。すると、これらのデータのうちタグデータ（印字データを含めてもよい）と、無線タグ回路素子Ｔoに予め書き込まれた配列情報を取得するための要求信号とが無線タグ情報通信装置３Ａに送られる。これらを受信した無線タグ情報通信装置３Ａは、無線タグ回路素子Ｔoから配列情報を読み取るとともにタグデータの書き込みを行い、タグシールＴｓを生成する。一方で、無線タグ情報通信装置３Ａは、上記無線タグ回路素子Ｔoから読み取った配列情報を印字装置２Ａに送信する。また印字装置２Ａでは、タグデータとこれに対応する印字データとが記憶部２９に格納される。
【０１６２】
上記無線タグ情報通信装置３Ａからの配列情報を受信した印字装置２Ａでは、印字ヘッド１０によって上記印字データ及び配列情報にそれぞれ対応した印字がカバーフィルム１０３に対して行われ、更に印字後のカバーフィルム１０３とラベル基材テープ１０１とが一体化されてなる印字済ラベルテープ１１０をカッタ１５で切断することで、印字ラベルＳが生成されて搬出される。
【０１６３】
このようにして、タグシールＴｓと印字ラベルＳとが生成された後、操作者がタグシールＴｓに予め印字された配列情報としての印字ＲＡと、印字ラベルＳの印字Ｒ２とを用いて対応するタグシールＴｓと印字ラベルＳとを照合し、タグシールＴｓを印字ラベルＳに取り付けることにより、印字付きの無線タグラベルＴが完成されることになる。
【０１６４】
以上説明した第２の実施形態によっても、前述の第１の実施形態と同様の効果を得ることができる。
【０１６５】
なお、本発明は、上記の各実施形態に限られず、その趣旨と技術思想の範囲を逸脱しない範囲で更に種々の変形が可能である。以下その変形例を説明する。
【０１６６】
（１）無線タグ回路素子の配列情報を光学的に読み取る場合
上記各実施形態においては、帯状のタグテープ１０１Ａに配列された複数の無線タグ回路素子Ｔoの配列情報が各無線タグ回路素子Ｔoに予め記憶されており、これを無線通信により読み取ることで配列情報を取得するようにしたが、これに限られない。すなわち、例えばタグテープ１０１Ａの各無線タグ回路素子Ｔoに対応する位置に配列情報に対応する検出子を予め形成しておき、これを光学的に読み取ることで配列情報を取得するようにしてもよい。以下、この検出子として、前述のタグテープ１０１Ａの剥離紙１０１ｇの裏側表面に予め形成された印字ＲＡを検出する場合を例にとって説明する。
【０１６７】
図１９は、本変形例の無線タグ情報通信装置３Ｂの詳細構造を表す概念的構成図であり、前述の図４に対応する図である。図４と同様の部分には同符号を付し説明を省略する。
【０１６８】
この図１９において、無線タグ情報通信装置３Ｂの装置本体９は、タグテープ１０１Ａの剥離紙１０１ｇに予め形成された上記印字ＲＡを読み取りその認識信号を制御回路１３０Ｂへ出力する光学読み取り機９０（光学読み取り手段）を有している。その他の構成については前述の図４と同様である。
【０１６９】
図２０は、上記無線タグ情報通信装置３Ｂの制御回路１３０Ｂによって実行される制御のうち、タグシールＴｓの作成手順を表すフローチャートであり、前述の図８に対応する図である。図８と同様の手順には同符号を付し、説明を省略する。
【０１７０】
この図２０において、まずステップＳ１１０Ａで変数Ｎ、フラグＦを０に初期化する。次のステップＳ１２０及びステップＳ１３０は前述の図８と同様であり、端末５から送信されたタグデータ及び配列情報要求信号（上記ステップＳ３０参照）が通信回線４を介して入力されると、タグテープ１０１Ａの搬送を開始する。
【０１７１】
次のステップＳ１３５では、上記タグテープ１０１Ａの搬送開始に伴い光学読み取り機９０で読みとった認識信号（タグテープ１０１Ａの印字ＲＡ）を入力する。これにより、無線タグ回路素子Ｔoの配列情報を取得する。
【０１７２】
次のステップＳ１３７では、前述の図８のステップＳ１６０と同様に、上記無線タグ回路素子Ｔoから取得した配列情報を入出力インターフェイス１３１及び通信回線４を介し端末５へ出力する。
【０１７３】
その後のステップＳ１４０〜ステップＳ１９０は前述の図８と同様であり、タグテープ１０１Ａが通信位置に到達したら無線通信処理を行い、カッター位置に到達したらタグテープ１０１Ａの搬送を停止して切断し、タグシールＴｓを生成する。無線通信が良好に完了しなかった場合にはエラー報知を行う。なお、本変形例の無線通信処理２００Ａでは、上述したように光学読み取り機９０で無線タグ回路素子Ｔoの配列情報を読み取るため、図２１に示すように配列情報の読み取り手順（図９中ステップＳ２１０〜ステップＳ２７０）を行わずにタグデータの書き込みを行う。
【０１７４】
以上説明した変形例によっても、前述の各実施形態と同様の効果を得ることができる。
【０１７５】
なお、上記では検出子としてタグテープ１０１Ａの剥離紙１０１ｇの裏側表面に予め形成された印字ＲＡを用いたが、これに限られず、ストライプやバーコード又はその他のマークや、パンチ孔等、光学的に読み取り可能なその他の検出子を用いてもよい。
【０１７６】
（２）読み取り専用の無線タグ回路素子Ｔoを用いる場合
上記各実施形態では、無線タグ回路素子Ｔoに対し配列情報を読み取るとともにタグデータを書き込むことでタグシールＴｓを作成するようにしたが、例えば読み取り専用の無線タグ回路素子Ｔoを用いてタグシールＴｓを作成することも可能である。この場合、例えば無線タグ回路素子Ｔoに予め記憶されている配列情報を当該無線タグ回路素子Ｔoの識別子として用いれば足りる。
【０１７７】
図２２は、端末５Ａの制御回路５０５Ａ（図示せず）によって実行される制御手順を表すフローチャートであり、前述の図３に対応する図である。図３と同様の手順には同符号を付し説明を省略する。
【０１７８】
この図２２において、まずステップ１０Ａでは、表示部５０１に制御信号を出力し、印字装置２で作成される印字ラベルＳに印字する印字データの入力画面を表示させる。
【０１７９】
次のステップＳ２０Ａでは、上記入力画面に応じて、操作者が操作部５０２を用いて印字データを入力したか否かを判定する。印字データの入力があった場合には、判定が満たされ次のステップＳ３０Ａに移る。
【０１８０】
ステップ３０Ａでは、入出力インターフェース５０４及び通信回線４を介し、作成されるタグシールＴｓの無線タグ回路素子Ｔoに関わる配列情報を要求するための配列情報要求信号を無線タグ情報通信装置３Ｃに送信する。
【０１８１】
その後、ステップＳ４０及びステップＳ５０は前述の図３と同様であり、無線タグ情報通信装置３Ｃから配列情報が入力されたら印字装置２に対し印字データ及び配列情報を送信する。そして、次のステップＳ６０Ａにおいて、上記配列情報及び印字データを入出力インターフェース５０４及び通信回線４を介し情報サーバ７に送信し、配列情報を対応する印字情報と関連付けた形で（ここでは配列情報と印字データとの相関として）記憶装置７０に記憶させる。そして、本フローを終了する。
【０１８２】
図２３は、上記無線タグ情報通信装置３Ｃの制御回路１３０Ｃ（図示せず）によって実行される制御のうち、タグシールＴｓの作成手順を表すフローチャートであり、前述の図８等に対応する図である。図８等と同様の手順には同符号を付し、説明を省略する。
【０１８３】
この図２３において、まずステップＳ１１０Ｂで変数Ｍ、フラグＦを０に初期化する。次のステップＳ１２０Ｂでは、上記端末５から送信された配列情報要求信号が通信回線４を介して入力されたか否かを判定する。端末５から配列情報要求信号が入力されると（前述の図２２中ステップＳ３０Ａ参照）、この判定が満たされ、ステップＳ１３０に移る。
【０１８４】
ステップＳ１３０及びステップＳ１４０は前述の図８と同様であり、タグテープ１０１Ａの搬送を開始して通信位置に到達したか否かを判定する。到達している場合には、無線タグ回路素子Ｔoに予め記憶された配列情報を読み取る無線通信処理２００Ｂを行う。
【０１８５】
その後のステップＳ１５０〜ステップＳ１９０は前述の図８と同様であるので説明を省略する。
【０１８６】
なお、本変形例の無線通信処理２００Ｂでは、無線タグ回路素子Ｔoに対しタグ情報の書き込みを行わないため、図２４に示すようにタグ情報の書き込み手順（図９中ステップＳ２９０〜ステップＳ３５０）を行わずに配列情報の読み取りを行う。
【０１８７】
以上説明した本変形例によれば、上述のように無線タグ回路素子Ｔoに予め記憶された配列情報を（無線タグ回路素子Ｔoの識別情報の代わりとして）対応する印字データと関連づけた形で記憶装置７０のデータベースに格納することにより、タグシールＴｓの無線タグ回路素子Ｔoに記憶された配列情報と印字ラベルＳへの印字情報との関連づけを確実に保持することができる。したがって、読み取り専用の無線タグ回路素子Ｔoを用いた場合でも印字付き無線タグラベルＴを実現することができる。
【０１８８】
なお、上記では無線タグ回路素子Ｔoに予め記憶された配列情報を無線タグ回路素子Ｔoの識別情報として用いるようにしたが、これに限られず、無線タグ回路素子Ｔoに記憶されたＵＩＤ（ユニークＩＤ）等の固有の識別情報を読み出して用いるようにしてもよい。
【０１８９】
（３）テープ基材層に配列識別子を形成する場合
上記各実施形態では、剥離紙１０１ｇの裏側表面に、各無線タグ回路素子Ｔoの配列を表す配列情報としての印字ＲＡが形成されたタグテープ１０１Ａを用いるようにしたが、これに限られない。すなわち、剥離紙１０１ｇとは反対側である保護紙１０１ｅの表側表面に印字ＲＡが形成されたタグテープを用いてもよい。
【０１９０】
これにより、操作者は、無線タグ情報通信装置３で情報読み取り（又は書き込み）が行われたタグシールＴｓと印字装置２で印字が行われた印字ラベルＳとを貼り合わせて印字付き無線タグラベルＴを作成する際、タグシールＴｓの保護紙１０１ｅの表側表面に形成された印字ＲＡと、印字ラベルＳに印刷された印字Ｒ２とを付き合わせることで、正しい組み合わせを確実に認識することができる。また、ラベル使用時に剥離紙１０１ｇが引き剥がされても印字ＲＡがタグシールＴｓに残存しているので、使用時においても上記正しい組み合わせを確認することができる。
（４）その他
また、以上においては、移動中のタグテープ１０１Ａに対して無線タグ情報の書き込み・読み取りを行う例を示したが、これに限られず、タグテープ１０１Ａを所定位置で停止させて（さらに読み取り・書き込みについては所定の搬送ガイドにて保持した状態としてもよい）上記読み取り・書き込みを行うようにしてもよい。
【０１９１】
また、以上において、印字及び無線タグ回路素子Ｔoへのアクセス（読み取り又は書き込み）の終了したラベル基材テープ１０１及びタグテープ１０１Ａをカッタ１５，１５Ａで切断して印字ラベルＳ及びタグシールＴｓを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタで切断しなくても、テープが排出口から排出されてきた後にラベル台紙のみをテープから剥がして印字ラベルＳ及びタグシールＴｓを作成しても良く、本発明はこのようなものに対しても適用できる。
【０１９２】
また、以上においては、印字装置においてラベル基材テープ１０１とは別のカバーフィルム１０３に印字を行ってこれらを貼り合わせる方式であったが、これに限られず、ラベル基材テープ１０１に備えられた被印字テープ層に印字を行う方式（貼りあわせを行わないタイプ）に本発明を適用してもよい。
【０１９３】
さらに、以上は、無線タグ情報通信装置において、タグテープがリール部材の周りに巻回されてロールを構成し、カートリッジ内にそのロールが配置されてタグテープが繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをタグラベル作成装置２側のカートリッジホルダに装着して、上記収納部から移送、搬送して印字及び書き込みを行いタグラベルを作成するようにしてもよい。
【０１９４】
さらには上記ロールを直接無線タグ情報通信装置側に着脱可能に装着する構成や、長尺平紙状あるいは短冊状のテープやシートを無線タグ情報通信装置外より１枚ずつ所定のフィーダ機構によって移送し無線タグ情報通信装置内へ供給する構成も考えられ、さらにはカートリッジのような無線タグ情報通信装置本体側に着脱可能なものにも限られず、装置本体側に着脱不能のいわゆる据え付け型あるいは一体型としてタグテープロールを設けることも考えられる。この場合も同様の効果を得る。なお、これらは印字装置についても同様のことが言える。
【０１９５】
なお、以上で用いた「Scroll  All  ID」信号、「Verify」信号、「Program」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１９６】
また、以上既に述べた以外にも、上記実施形態や各変形例による手法を適宜組み合わせて利用しても良い。
【０１９７】
その他、一々例示はしないが、本発明は、その趣旨を逸脱しない範囲内において、種々の変更が加えられて実施されるものである。
【図面の簡単な説明】
【０１９８】
【図１】本発明の第１実施形態の無線タグ情報通信装置と印字装置とを有するタグラベル作成システムを表すシステム構成図である。
【図２】端末の機能構成を表す機能ブロック図である。
【図３】端末の制御回路によって実行される制御手順を表すフローチャートである。
【図４】無線タグ情報通信装置の詳細構造を表す概念的構成図である。
【図５】タグテープの側断面構造を表す縦断面図であり、図４中のV部の部分拡大図に相当する図である。
【図６】高周波回路の詳細機能を表す機能ブロック図である。
【図７】無線タグ回路素子の機能的構成を表す機能ブロック図である。
【図８】無線タグ情報通信装置の制御回路によって実行される制御のうち、タグシールの作成手順を表すフローチャートである。
【図９】ステップＳ２００の詳細手順を表すフローチャートである。
【図１０】印字装置の全体構造を概念的に表す概念的構成図である。
【図１１】印字ラベルの側断面構造を表す縦断面図であり、図１０中のXI部の部分拡大図に相当する図である。
【図１２】印字装置の制御回路によって実行される印字制御手順を表すフローチャートである。
【図１３】生成されたタグシール及び印字ラベルの利用法を説明するための説明図である。
【図１４】本実施形態のタグラベル作成システムの動作を説明するための図である。
【図１５】本発明の第２実施形態の印字装置及び無線タグ情報通信装置を備えたタグラベル作成システムを表すシステム構成図である。
【図１６】本発明の第２実施形態における印字装置の全体構造を概念的に表す概念的構成図である。
【図１７】本発明の第２実施形態における印字装置の制御回路によって実行される印字制御手順を表すフローチャートである。
【図１８】本発明の第２実施形態における無線タグ情報通信装置の制御回路によって実行される制御のうち、タグシールの作成手順を表すフローチャートである。
【図１９】無線タグ回路素子の配列情報を光学的に読み取る場合の変形例において、無線タグ情報通信装置の詳細構造を表す概念的構成図である。
【図２０】無線タグ回路素子の配列情報を光学的に読み取る場合の変形例において、無線タグ情報通信装置の制御回路によって実行される制御のうち、タグシールの作成手順を表すフローチャートである。
【図２１】無線タグ回路素子の配列情報を光学的に読み取る場合の変形例において、無線通信処理の詳細手順を表すフローチャートである。
【図２２】読み取り専用の無線タグ回路素子を用いる場合の変形例において、端末の制御回路によって実行される制御手順を表すフローチャートである。
【図２３】読み取り専用の無線タグ回路素子を用いる場合の変形例において、無線タグ情報通信装置の制御回路によって実行される制御のうち、タグシールの作成手順を表すフローチャートである。
【図２４】読み取り専用の無線タグ回路素子を用いる場合の変形例において、無線通信処理の詳細手順を表すフローチャートである。
【符号の説明】
【０１９９】
１              タグラベル作成システム
２              印字装置
３              無線タグ情報通信装置
４              通信回線（局所ネットワーク）
５              端末（操作端末）
１０            印字ヘッド（印字手段）
１４            アンテナ（通信手段）
２８            操作部（第２設定入力手段）
３０            制御装置（媒体識別子情報入力手段）
３０Ａ          制御回路（第２出力手段）
７０            記憶装置
９０            光学読み取り機（光学読み取り手段）
１０１ｅ        保護紙（テープ基材層）
１０１ｆ        粘着層（貼り付け用粘着剤層）
１０１ｇ        剥離紙（剥離材層）
１０３          カバーフィルム（被印字媒体）
１３０          制御回路（情報アクセス手段、媒体識別子情報出力手段）
１５１          ＩＣ回路部
１５２          アンテナ
５０２          操作部（第１設定入力手段）
５０５          制御回路（要求出力手段、媒体識別子情報送出手段、第１出力手段）
Ｒ１            印字（第１印字）
Ｒ２            印字（第２印字）
ＲＡ            印字（媒体識別子）
Ｔo             無線タグ回路素子
Ｔｓ            タグシール（無線タグ媒体）
【図１】
2008090468.tif 000003
【図２】
2008090468.tif 000004
【図３】
2008090468.tif 000005
【図４】
2008090468.tif 000006
【図５】
2008090468.tif 000007
【図６】
2008090468.tif 000008
【図７】
2008090468.tif 000009
【図８】
2008090468.tif 000010
【図９】
2008090468.tif 000011
【図１０】
2008090468.tif 000012
【図１１】
2008090468.tif 000013
【図１２】
2008090468.tif 000014
【図１３】
2008090468.tif 000015
【図１４】
2008090468.tif 000016
【図１５】
2008090468.tif 000017
【図１６】
2008090468.tif 000018
【図１７】
2008090468.tif 000019
【図１８】
2008090468.tif 000020
【図１９】
2008090468.tif 000021
【図２０】
2008090468.tif 000022
【図２１】
2008090468.tif 000023
【図２２】
2008090468.tif 000024
【図２３】
2008090468.tif 000025
【図２４】
2008090468.tif 000026